(57)【要約】【課題】保管時に平坦に折り畳むことができ、使用時に着用者の口および鼻を覆うカップ型空気室を形成することができる呼吸器保護装置を提供する。【解決手段】呼吸器保護装置は、補強層と、メルトブロー微細繊維群を含有するウェブを含んでなる濾過層と、被覆ウェブとを備える多層構造を有する。使用者の装置着用時に、補強層が濾過層の外側に配置されて強化機能を発揮し、被覆ウェブが濾過層の内側に配置されて濾過層を被覆する。多層構造は、いずれも襞を有さない第１パネル１４、中心パネル１２および第２パネル１６を形成する。多層構造は、第１および第２境界線１５、１７の各々で折ることができ、それにより呼吸器保護装置を、平坦に折り畳んで保管できるとともに、着用時には、折り畳んだ状態から開いて、着用者の鼻および口の前方に配置されるカップ形状の空気室を形成できる。【選択図】図４
2008114091.tif 000002
【特許請求の範囲】
【請求項１】
補強層と、メルトブロー微細繊維群を含有するウェブを含んでなる濾過層と、被覆ウェブとを備える多層構造を具備する、個人用の呼吸器保護装置において、
前記補強層および前記被覆ウェブは、前記濾過層の互いに反対側の第１面および第２面にそれぞれ配置され、使用者の装置着用時に、該補強層が該濾過層の外側に配置されて強化機能を発揮するとともに該被覆ウェブが該濾過層の内側に配置されて該濾過層を被覆するようになっており、
前記多層構造は、第１パネル、中心パネルおよび第２パネルを形成するようになっており、該中心パネルが、第１および第２境界線によって該第１および第２パネルの各々から区分され、該第１パネル、該中心パネルおよび該第２パネルがいずれも襞を有さないものであり、
前記多層構造は、前記第１および第２境界線の各々で折ることができ、それにより呼吸器保護装置を、平坦に折り畳んで保管できるとともに、着用時には、折り畳んだ状態から開いて、着用者の鼻および口の前方に配置されるカップ形状の空気室を形成できること、
を特徴とする呼吸器保護装置。
【請求項２】
前記被覆ウェブがスパンボンド繊維群を含んでなる、請求項１に記載の呼吸器保護装置。
【請求項３】
前記第１パネルおよび前記第２パネルが、前記多層構造の複数の周縁に沿って複数のエッジシール部を有し、それらエッジシール部が、前記補強層、前記濾過層および前記被覆ウェブを該周縁にて互いに接合する、請求項１に記載の呼吸器保護装置。
【請求項４】
前記第１パネル、前記中心パネルおよび前記第２パネルが、顔面接触縁部を形成する非接合エッジを有する、請求項３に記載の呼吸器保護装置。
【請求項５】
前記補強層及び前記被覆ウェブの双方がスパンボンド繊維群を含んでなる、請求項１に記載の呼吸器保護装置。
【請求項６】
平坦に折り畳んだ個人用の呼吸器保護装置の作製方法であって、
ａ）フィルター媒体層と、強化機能を発揮する補強層と、該フィルター媒体層を被覆する被覆ウェブとを有する多層構造を用意し、
ｂ）前記多層構造に、いずれも襞を有さない第１パネル、中心パネルおよび第２パネルを形成して、該中心パネルが、主として該第１パネルと該第２パネルとの間に配置されるとともに、折り線、シーム、溶接部、接着部またはそれらの組み合わせにより境界を定められるように構成し、該多層構造を、該折り線、該シーム、該溶接部、該接着部またはそれらの組み合わせに沿って折ることにより、平坦に折り畳んで保管できるとともに、装置着用時には、折り畳んだ状態から開いて、着用者の鼻および口の前方に配置されるカップ形状の空気室を形成できるようにすること、
を特徴とする作製方法。
【請求項７】
前記中心パネルが、折り線、溶接部またはそれらの組み合わせによって画定される、請求項６に記載の作製方法。
【発明の詳細な説明】
【技術分野】
【０００１】
本発明は、呼吸器保護装置に関する。本発明はまた、呼吸器保護装置の作製方法に関する。
【背景技術】
【０００２】
濾過式の呼吸器保護装置またはフェースマスクは、ヒトの呼吸系を空中に浮遊する粒子または望ましくないガスもしくは有害ガスから保護することが所望される場合に、多種多様な用途に用いられる。一般にこうした呼吸器保護装置またはフェースマスクは、２つのタイプすなわち成形カップ型形態またはフラットフォールド形態のうちの一方である。フラットフォールド形態は、必要になるまでは着用者のポケットに入れて持ち運び、着用するまでの間は再度平坦に折り畳んで内部を清潔に維持することができる点で利益がある。
【０００３】
フェースマスクのフラットフォールド形態は、長方形の形態を有し、着用者の口にほぼ平行に延在するプリーツを有する布として構成されてきた。こうした構成は、フェースマスクが着用者の顔に接触しないようフェースマスクを維持するための補強要素を有しても良い。また、補強は、フェースマスクの幅にわたるプリーツを積層構造に融着することによって、または、フェースマスクの幅にわたってシムを提供することによって提供されてきた。
【０００４】
水平方向に中央で折り畳んで上下の対向面を形成するプリーティング呼吸器保護装置も開示されている。呼吸器保護装置は、フィルター媒体を垂直寸法に収縮する対向面に対して本質的に中心の少なくとも１つの水平プリーツと、これらの対向面の各々の少なくとも１つの別のプリーツを有する。中心プリーツは、対向面のプリーツに対して水平寸法に短く、対向面のプリーツは、フィルター媒体の最大水平寸法に対して水平寸法に短い。対向面のプリーツとともに中心プリーツは、自助ポケットを形成する。
【０００５】
ポケットの広い端に開放エッジを有し、ポケットの狭い端に閉鎖エッジを有するほぼテーパー形状を有する可撓性濾過シート材料から成るポケットから形成される呼吸器保護装置も開示されている。ポケット閉鎖端は、折り畳まれてポケットの内側方向に延在する三角面であって、互いに対向し、使用時に互いに相対的に傾斜する三角面を含む一般に四辺形面を画定する折り畳み線で形成される。
【０００６】
開示されているより複雑な構成には、対向する側壁であって、広い端に開放端および狭い端に閉鎖端を有するほぼテーパー形状である側壁を有するフィルターシート材料のポケットから形成されるカップ型濾過面体を含む。閉鎖端のポケットの縁は、外側方向に湾曲し、交差する直線および／または曲線によって定義され、閉鎖端は、ポケットの閉鎖端の内側方向に折り畳まれても吸気時に着用者の顔面に対して陥没しないようにポケットを剛化するために内側方向に延びる円錐状のくぼみを定義する表面を画定する折り畳み線を提供する。
【０００７】
上部と下部と、その間にほぼ中心的な部分を有するフェースマスクも開示されている。本体部分の中心部分は、本体を実質的に二分する垂直な折り目または折り畳み線の周囲で後方に折り畳まれる。この折り畳み線または折り目線は、マスクを着用した場合に、額の中心、鼻、および口の中心を通過する想像垂直線上に多少なりとも配置される。本体部分の上部は、中心部の上側エッジが鼻橋および顔の頬骨に接触するように、中心部の上側エッジからある角度で上側に延在する。本体部分の下部は、下方かつ、中心部の下部エッジから喉の方向に着用者の顎の下方を保護するように延在する。マスクは、着用者の鼻および口を覆うが、直接鼻や口に接触しない。
【発明の開示】
【発明が解決しようとする課題】
【０００８】
本発明の目的は、保管時に平坦に折り畳むことができ、使用時に着用者の口および鼻を覆うカップ型空気室を形成することができる呼吸器保護装置を提供することにある。
【０００９】
本発明の他の目的は、保管時に平坦に折り畳むことができ、使用時に着用者の口および鼻を覆うカップ型空気室を形成することができる呼吸器保護装置の作製方法を提供することにある。
【課題を解決するための手段】
【００１０】
上記目的を達成するために、本発明は、補強層と、メルトブロー微細繊維群を含有するウェブを含んでなる濾過層と、被覆ウェブとを備える多層構造を具備する、個人用の呼吸器保護装置において、前記補強層および前記被覆ウェブは、前記濾過層の互いに反対側の第１面および第２面にそれぞれ配置され、使用者の装置着用時に、該補強層が該濾過層の外側に配置されて強化機能を発揮するとともに該被覆ウェブが該濾過層の内側に配置されて該濾過層を被覆するようになっており、前記多層構造は、第１パネル、中心パネルおよび第２パネルを形成するようになっており、該中心パネルが、第１および第２境界線によって該第１および第２パネルの各々から区分され、該第１パネル、該中心パネルおよび該第２パネルがいずれも襞を有さないものであり、前記多層構造は、前記第１および第２境界線の各々で折ることができ、それにより呼吸器保護装置を、平坦に折り畳んで保管できるとともに、着用時には、折り畳んだ状態から開いて、着用者の鼻および口の前方に配置されるカップ形状の空気室を形成できること、を特徴とする呼吸器保護装置を提供する。
【００１１】
本発明はまた、平坦に折り畳んだ個人用の呼吸器保護装置の作製方法であって、ａ）フィルター媒体層と、強化機能を発揮する補強層と、該フィルター媒体層を被覆する被覆ウェブとを有する多層構造を用意し、ｂ）前記多層構造に、いずれも襞を有さない第１パネル、中心パネルおよび第２パネルを形成して、該中心パネルが、主として該第１パネルと該第２パネルとの間に配置されるとともに、折り線、シーム、溶接部、接着部またはそれらの組み合わせにより境界を定められるように構成し、該多層構造を、該折り線、該シーム、該溶接部、該接着部またはそれらの組み合わせに沿って折ることにより、平坦に折り畳んで保管できるとともに、装置着用時には、折り畳んだ状態から開いて、着用者の鼻および口の前方に配置されるカップ形状の空気室を形成できるようにすること、を特徴とする作製方法を提供する。
【発明を実施するための最良の形態】
【００１２】
図１に正面図で示すように、本発明の実施形態による個人用の呼吸器保護装置１０は、使用前のパッケージまたは着用者のポケットに保管するための折り畳み形態である場合には、ほぼ矩形の形状を有する。図２に側面図で示すように、呼吸器保護装置１０は、中心部１２、第１の部材１４および第２の部材１６を有する。中心部ならびに第１および第２の部材は、例えば、折り目１５および１７によって図２に示すように接合されていても良いし、第１および第２の部材は、中心部に接着またはシームされていても良い。構成は、図示のように折り目１５から折り目１７まで延在するエッジシール１１および１１′によって適所に保持されるが、折り目１５から折り目１７まで部分的に延在しても良い。エッジシール１１および１１′は、図示のように実質的に直線状であっても良いし、曲線状であっても良い。図１および図３は、例えば、ヘッドバンドなどの着用者の顔上で適所に装置を維持するために取り付けるための取付手段１８、１８′も示す。呼吸器保護装置１０は、フィルター媒体層、被覆層および補強層を備える多層構造を有し、第１および第２の部材１４、１６の外縁も接着される。
【００１３】
呼吸器保護装置１０は、図１および図２と共通の部分を示す図３および図４において、着用者に成形カップ形状呼吸器保護装置の「顔から離れた」利益を提供する開放されたすぐに着用できる構成で示されている。本発明の呼吸器保護装置のカップ形状の「顔から離れた」設計は、着用者の顔に対して呼吸器保護装置をシールするための第１および第２の部材のエッジ２４および２６によって各々形成される外縁領域すなわち顔面接触縁部を提供する。図３は、任意のノーズクリップ２８を有する呼吸器保護装置１０を示す図である。着用者により大きい程度の顎の運動をさせるには、一般に幅方向の折り目すなわちプリーツを呼吸器保護装置の第１の部材１４または第２の部材１６に、折り目または接着部１５の真上または折り目または接着部１７の真下に形成することができる。
【００１４】
図５および図６に示す別の実施形態では、図１〜図４と共通する部分が確認できるが、別の部材２０および２２が呼吸器保護装置１０′の第１および第２の部材に、接着またはシームすることによって（図示せず）、折り目２１および２３によって取り付けられている。別の部材２０および２２は、中心部ならびにエッジシール１１の第１および第２の部材１４および１６でシールすることができるが、好ましくは、図５および図６に示す様なエッジシールではシールせずに、別の部分２０および２２の能力によって呼吸器保護装置１０′の外縁でシール力を強化し、取付点２５および２５′で枢着する。図６は、別の部材２０上に配置される任意のノーズクリップ２８を有する呼吸器保護装置１０′を示す図である。この実施形態では、複数層を使用して呼吸器保護装置を形成し、別の部材２０および２２の外縁も接着することが好ましい。
【００１５】
呼吸器保護装置１０では、エッジシール１１、１１′の間、またはエッジシール１１、１１′と同じ位置に配置される接着部の間に延在する中心部１２の幅は、好ましくは約１６０ｍｍ〜２２０ｍｍであり、より好ましくは１７５ｍｍ〜２０５ｍｍであり、最も好ましくは１８５ｍｍ〜１９０ｍｍである。折り目１５、１７の間に延在する中心部１２の高さは、好ましくは、約３０ｍｍ〜１１０ｍｍであり、より好ましくは５０ｍｍ〜１００ｍｍであり、最も好ましくは７５ｍｍ〜８０ｍｍである。呼吸器保護装置１０の第１の部材１４及び第２の部材１６の幅は、好ましくは中心部１２の幅とほぼ同じである。折り目１５から呼吸器保護装置１０の第１の部材１４の外縁または呼吸器保護装置１０′の折り目２１に延在する第１の部材の深さは、好ましくは約３０ｍｍ〜１１０ｍｍであり、より好ましくは約５０ｍｍ〜７０ｍｍであり、最も好ましくは約５５ｍｍ〜６５ｍｍである。折り目１７から呼吸器保護装置１０の第２の部材１６の外縁または呼吸器保護装置１０′の折り目２３に延在する第２の部材１６の深さは、好ましくは約３０ｍｍ〜１１０ｍｍ、より好ましくは約５５ｍｍ〜７５ｍｍ、最も好ましくは約６０ｍｍ〜７０ｍｍである。第１の部材１４と第２の部材１６の深さは、同じであっても異なっていても良く、第１および第２の部材の深さの合計は、好ましくは、中心部の高さを超過しない。呼吸器保護装置１０′の別の部材２０および２２は、好ましくは第１および第２の部材の幅とほぼ等しい。呼吸器保護装置１０′の別の部材２０の深さは、好ましくは約１ｍｍ〜９５ｍｍであり、より好ましくは約５ｍｍ〜４０ｍｍであり、最も好ましくは約５ｍｍ〜３０ｍｍである。呼吸器保護装置１０′の別の部材２２の深さは、好ましくは約１ｍｍ〜９５ｍｍであり、より好ましくは約３ｍｍ〜７５ｍｍであり、最も好ましくは約３ｍｍ〜３５ｍｍである。端部エッジシールは、中心部１２の外側エッジから、好ましくは約１ｍｍ〜２５ｍｍ、より好ましくは約５ｍｍ〜１０ｍｍだけ離隔し、第１の部材および第２の部材１６は、好ましくは１ｍｍ〜１０ｍｍ、より好ましくは２ｍｍ〜５ｍｍの幅を有する。別の部分２０および２２が呼吸器保護装置１０′に存在する場合、こうした部分は、好ましくはないが、エッジシール１１、１１′を含んでいても良い。１０や１０′などの呼吸器保護装置では、着用者の鼻、頬、顎に、図３、図４および図６に示すような開放構成で接触する非接合エッジからなる外縁領域は、平坦に折り畳まれた保管状態の装置の外周長さ（本明細書で「周長」と称する）、すなわち中心部１２の周長よりも短い。
【００１６】
楕円形状を有する別の実施形態を図７〜図１２に示す。図７では、折り畳まれた構成すなわち保管構成の正面図に示される呼吸器保護装置５０は、中心部５２と接着部５５および５７を含む。例えば、ヘッドバンド５９などを取り付けて呼吸器保護装置を着用者の顔に保持するための取付手段５８、５８′も示す。図８では、呼吸器保護装置は、接着部５５で中心部５２に接着される第１の部材５４および接着部５７で中心部５２に接着される第２の部材５６を有して、折り畳まれないすぐに使用できる構成で、正面図で示されている。呼吸器保護装置が、材料の複数の層から形成される場合、第１の部材５４および第２の部材５６を接着することが好ましい。図８は、さらに、第１の部材５４上のノーズクリップ６０および中心部５２上の突起６２を示し、第１の部材５４上の突起に比較的に一致する。ノーズクリップ６０は、装着を改善し、突起６２は、第１の部材５４上の同種の突起と協働して、快適さおよび装着を改善する。ある例では、装着における改善は、第１の部材５４の外縁を内側方向すなわち着用者の顔方向に折り曲げることによって達成できる。ノーズクリップが存在する場合には、折り目の内側に位置づけることができる。着用者により程度が大きい顎の運動をさせるには、一般には、幅方向の折り目すなわちプリーツを、呼吸用装置の第１の部材５４または第２の部材５６の、折り目または接着部５７の真下に形成することができる。こうした呼吸器保護装置５０および５０′では、着用者の鼻、頬および顎に図８および図９で示す開放構成で接触する未接合エッジの外側境界は、平坦に折り畳まれる保管状態の装置の周長よりも小さい。
【００１７】
図１０〜図１２では、呼吸器保護装置５０は、着用者の顔上に示され、図１０に示されるノーズクリップ６０を有するカップ形状構成、図１１に示すノーズクリップ６０および呼気弁６４、ならびに、図１２に示すノーズクリップ６０′および呼気弁６０を有する。こうしたノーズクリップおよび呼気弁は、図１〜図６に示す呼吸器保護装置でも等しく有用である。
【００１８】
図７〜図１２では、中心部５２の最も幅広い部分は、好ましくは約１６０ｍｍ〜２２０ｍｍであり、より好ましくは約１７５ｍｍ〜２０５ｍｍであり、最も好ましくは約１９３ｍｍ〜１９７ｍｍである。中心部の最も高い部分、すなわち、幅に垂直な部分の高さは、好ましくは約３０ｍｍ〜１１０ｍｍであり、より好ましくは約５０ｍｍ〜１００ｍｍであり、最も好ましくは約７０ｍｍ〜８０ｍｍである。好ましくは、第１および第２の部材は、中心部分の幅と実質的に同じ幅である。第１の部材の最も深い部分の深さは、好ましくは約３０ｍｍ〜１００ｍｍであり、より好ましくは約４０ｍｍ〜９０ｍｍであり、最も好ましくは約５０ｍｍ〜６０ｍｍである。第２の部材の最も深い部分の深さは、好ましくは約３０ｍｍ〜１１０ｍｍであり、より好ましくは約５０ｍｍ〜１００ｍｍであり、最も好ましくは約６０ｍｍ〜７０ｍｍである。第１および第２の部材の深さは同じであっても異なっても良い。第２の部材の深さが、第１の部材の深さよりも大きい場合、別の保護を顎先の部分に提供することができる。第１および第２の部材と中心部の深さを調節することによって、顎先の下の第２の部材の嵌合を装着したり、鼻を覆う第１の部分の嵌合を装着し、第１の部分が鼻の長さに沿って位置したり、鼻橋上の大部分を占めるように、調節することができる。
【００１９】
図９に示すパーソナル呼吸器保護装置では、呼吸器保護装置５０′は、中心部５２′、第１の部材５４′、および第２の部材５６′が着用者の顔に垂直に位置して、中心部５２′の端部６１および６３が着用者の鼻および顎先に位置するように構成されている。第１の部材５４′は、接着部５５′で中心部５２′に接着され、第２の部材５６′は、接着部５７′で中心部５２に接着される。取付手段５８′、５８″は、例えば、ヘッドバンド５９を取り付けて着用者の顔の適所に呼吸器保護装置を保持するために提供される。当然、図１〜図６に示す呼吸器保護装置は、取付手段１８、１８′を変更することによって同様に変更することができる。中心部、第１の部材および第２の部材が着用者の顔に垂直に整列されるこうした構成では、取付手段間の距離は、好ましくは約１６０ｍｍ〜２２０ｍｍであり、実質的に楕円形状の場合には、より好ましくは、約１７０ｍｍ〜１９０ｍｍであり、実質的に矩形の場合には約１７５ｍｍ〜１９５ｍｍである。
【００２０】
フラットフォールド型の呼吸器保護装置の形状は、図７〜図１２に関しては、楕円状であると述べたが、著しく異なっていても良い。一般には、正規の楕円形ではなく、例えば、偏菱形などに近い形状でさえあり得る。折り畳み装置のさまざまな考えられる形状は、図１３ａ〜図１３ｐに示されている。このため、中心部は、四分割で見れば、直角交差パターン、直線パターンまたは曲線や直線の組み合わせパターンで延びる接着エッジ構成を有することができる。好ましくは、こうした接着エッジは、図７に示す穏やかな曲線などの構成を有し、この場合、曲線は好ましくは約１２０ｍｍ〜１７０ｍｍ、より好ましくは約１４０ｍｍ〜１５０ｍｍの半径を有する。同様に、第１および第２の部材の形状と付加的な部分の形状はかなり異なっていても良い。第１および第２の部材の各々は、前述の中心部に接合することができるように造形することができる。第１および第２の部材の取り付けしていないエッジ部の形状も、着用者の顔に十分嵌合できることが所望されるように直線状から曲線状まで異なっていて良い。別の部材が存在する場合には、適宜、第１および第２のエッジ部に接合するために適切なエッジ部を有する必要がある。非接合のエッジ部は、直線から曲線まで様々である。接合部の形状を変更することによって、顔に対する呼吸器保護装置の嵌合は、選択させた設計によって改善することができる。中心部と第１および第２の部材とを接続する接着部、ならびに別の部材と第１および第２の部材とを接続する接着部は、好ましくは、中心部および第１の部材のエッジまたは第１の部材および第２の部材のエッジから約１５ｍｍ以下の深さであり、より好ましくは約１０ｍｍ以下の深さであり、最も好ましくは約５ｍｍの深さであり、連続していても不連続でも良い。
【００２１】
中心部、第１または第２の部材の少なくとも１つを含まなければならない本発明に有用なフィルター媒体または材料は、複数の織材料および不織材料から成り、単数または複数の層であり、内側または外側のスクリムを有しても有さなくても良く、補強手段を有しても有さなくても良い。好ましくは、中心部には、例えば、織スクリムまたは不織スクリム、接着バー、プリント結合剤などを提供する。適切なフィルター材料の例には、微細繊維ウェブ、解繊フィルムウェブ、織りウェブまたは不織りウェブ（通気またはカードステープルファイバー）、あるいはそれらの組み合わせが挙げられる。こうしたウェブを形成するために有用な繊維には、例えば、ポリプロピレン、ポリエチレン、ポリブチレン、ポリ（４−メチル−１−ペンタン）およびそれらのブレンドなどのポリオレフィン、クロロエチレン単位またはテトラフルオロエチレン単位の１つ以上を含有するものなどのハロゲン置換ポリオレフィン、ならびに、アクリロニトリル単位、ポリエステル、ポリカーボネート、ポリウレタン、ロジンウール、ガラス、セルロースまたはそれらの組み合わせを含んでも良い。濾過層の繊維は、濾過すべき粒子のタイプによって異なる選択が成される。繊維の適切な選択は、着用者に対して、例えば、軟度や湿度を制限するなどして快適さにも影響し得る。本発明に有用なメルトブロー微細繊維を含むウェブは、例えば、Wente, Van., A "Superfine Thermoplastic Fibers", Industrial Engineering Chemistry, Vol.48, 1342 et seq. (1956)や、Report No.4364 of the Navel Research Laboratoriesの 1954年5月25日発行の"Manufacture of Super Fine Organic Fibers" , Van A. Wente et al.などに記載されているように製造することができる。本発明に有用なフィルター媒体のメルトブロー微細繊維は、Davies, C.N., "The separation of Airborne Dust Particles", Institution of Mechanical Engineers, London, Proceedigs 18, 1952に記載されている方法に従って算出されるように、好ましくは、約３μｍ〜３０μｍ、より好ましくは約７μｍ〜１５μｍの効果的な繊維半径を有する。
【００２２】
ステープル繊維は、濾過層に任意に含めることもできる。ばらのクリンプステープル繊維が存在すると、ブロー繊維のみで構成されるウェブよりも高品位で高密度のウェブを提供することができる。好ましくは、９０重量パーセント以下のステープル繊維、より好ましくは７０重量パーセント以下のステープル繊維を媒体中に含める。こうしたステープル繊維含有ウェブは、米国特許第４，１１８，５３１号（Ｈａｕｓｅｒ）に開示されており、その開示を本明細書に参考として組み込む。
【００２３】
二成分ステープル繊維もフィルター層またはフィルター媒体の１つ以上の他の層に使用することができる。コア部よりも低い融点を有する外側層を一般に有する二成分ステープル繊維を使用して、二成分繊維の外側層が、二成分ステープル繊維またはその他のステープル繊維である隣接繊維に接触して流れるように、層を加熱するなどして繊維交差点で互いに接着される弾性造形層を形成することができる。造形層も、ステープル繊維と一緒に含まれる熱流動性ポリエステルを含むバインダー繊維を提供し、造形層の加熱時には、バインダー繊維が融解し、交差点に流れ込み、繊維交差点を包囲する。冷却時には、接着部は繊維の交差点で発達し、繊維の塊を所望の形状に維持する。また、アクリルラテックスまたは粉末熱活性化樹脂などの結合剤材料をウェブに適用して繊維の定着剤を提供することができる。
【００２４】
本明細書に参考として組み込む米国特許第４，２１５，６８２（Ｋｕｂｉｋ  ｅｔ  ａｌ．）、米国特許第４，５８８，５３７号（Ｋｌａｓｓｅ  ｅｔ  ａｌ．）などに開示されている帯電繊維、あるいは本明細書に参考として組み込む米国特許第４，３７５，７１８（Ｗａｄｓｗｏｒｔｈ  ｅｔ  ａｌ）または米国特許第４，５９２，８１５号（Ｎａｋａｏ）に記載の工程などによるエレクトレットを分極または帯電させる他の従来の方法による帯電繊維などは、本発明に特に有用である。本明細書に参考として組み込む米国特許第ＲＥ３１，２８５号（Ｖａｎ  Ｔｕｒｎｈｏｕｔ）に記載されるような帯電解繊フィルム繊維も、有用である。一般に、帯電工程には、材料をコロナ放電またはパルス化された高電圧に暴露することが必要である。
【００２５】
活性炭またはアルミナなどの収着剤も濾過層に含むことができる。こうした粒子充填ウェブは、例えば、本明細書に参考として組み込む米国特許第３，９７１，３７３号（Ｂｒａｕｎ）、米国特許第４，１００，３２４号（Ａｎｄｅｒｓｏｎ）および米国特許第４，４２９，００１号（Ｋｏｌｐｉｎ  ｅｔ  ａｌ．）などに開示されている。粒子充填フィルター層から得られたマスクは、ガス材料から保護するためには特に有効である。
【００２６】
本発明の呼吸器保護装置の中心部、第１の部材および第２の部材の少なくとも１つは、フィルター媒体を含む必要がある。好ましくは中心部、第１の部材および第２の部材の少なくとも２つが、フィルター媒体を含み、中心部、第１の部材および第２の部材のすべてがフィルターを含んでいても良い。フィルター媒体から形成されない部分は、各種の材料から形成することができる。例えば、第１の部材は、防湿層を提供して着用者のめがねがくもらない材料から形成することができる。中心部は、着用者の口の動きが観察できるように透明な材料から形成することができる。中心部を第１および第２の部材に接着するには、超音波溶接手段、接着剤結合手段、ステープル手段、熱機械的手段、圧力手段、あるいはそのほかの適切な手段によって結合することができるが、断続的でも連続的でも良い。こうした手段のいずれかによって結合領域は幾分強化または硬質化される。こうした結合手段は、図１〜図６に示す呼吸器保護装置の端部を固定するためにも適切である。
【００２７】
本発明の呼吸器保護装置は、接着剤や、呼吸用装置の中心部、第１および第２の部材によって形成される装置本体または呼吸用装置の別の部分に固定される、ストラップまたはヘッドバンド等の、当業者に周知の手段によって、着用者の顔の適所に保持できることが好ましい。それらストラップやヘッドバンドは、図１および図２などに示される呼吸器保護装置と一体形成できるループなどの手段によって、呼吸器保護装置の外面または内面上の装置外の位置で形成されるが、それらを型押手段、ステープル手段、接着結合手段、超音波溶接手段、縫製手段あるいはその他の当業者に一般に知られる手段などの手段によって呼吸器保護装置の本体に接着しても良い。あるいは、ストラップまたはヘッドバンドを、ループ取付手段の固定について述べた手段と同様の手段を用いて直接呼吸器保護装置に取り付けることができる。好ましくは、ヘッドバンドは、着用者の顔に対して張るようにある程度調節できる。本発明に有用なストラップまたはヘッドバンドは、弾性ポリウレタン、ポリイソプレン、Ｓｈｅｌｌ  Ｃｈｅｍｉｃａｌ  Ｃｏ．Ｌｔｄ．から入手可能なＫＲＡＴＯＮ（商標）などのブチルスチレンコポリマーから構成されるが、弾性ゴムまたはＤｕＰｏｎｔ  Ｃｏ．から入手可能なＬＹＣＲＡ（商標）スパンデックスなどの被覆ストレッチヤーンから構成することもできる。
【００２８】
本発明に有用なストラップまたはヘッドバンドは、延伸活性化弾性複合材料である。こうした材料の１つは、少なくとも１つの弾性コアと少なくとも１つの比較的弾性が小さいスキン層とを有する粘着性の無い多層弾性積層体である。スキン層は、弾性限界を超えて延伸されるとともにコアによって緩められ、微細凹凸構造のスキン層を形成する。微細凹凸構造とは、表面が、微細凹凸化する前の複合材料の不透明度をさらに増加させるような、肉眼で十分に観察できる凹凸（山および谷）または折り目であって、人の皮膚に平滑または軟質として知覚される程に十分に小さい凹凸または折り目を有することを意味する。凹凸の大きさは、微細凹凸化された織物のディテールを知るために必要である。こうした弾性複合材料は、１９９０年３月３０日に出願されて許可された米国特許出願第０７／５０３，７１６号に開示されており、本明細書に参考として組み込む。
【００２９】
本発明に有用な非弾性バンドには、例えば、湿潤工程または乾燥工程によって形成される不織材料であり、レーヨン、ポリエステルまたは同様の繊維、ポリプロピレン、ポリエチレンまたはポリエステルを含む圧延スパンボンドウェブおよび強化紙を含む。バンドは、バンドが着用者の顔とシール係合してフェースマスクを維持する着用者の頭部を取り巻くように、結ぶか、留め金で止めるか、伸縮させることができる。
【００３０】
他の構成のバンドとして、着用者の頭部を覆う開ループまたは閉ループの構造や着用者の耳に掛け渡されるループなどが挙げられる。米国特許第５，２３７，９８６号（Ｓｅｐｐａｌａ  ｅｔ  ａｌ．）には、マスクを容易かつ迅速に装着することができ、使用しない期間は一時的に保管することができるヘッドバンド組体が開示されている。
【００３１】
本発明の呼吸器保護装置に有用なノーズクリップは、例えば、アルミニウムまたはプラスチックを被覆したワイヤなどの金属を含む可撓性の軟質ではない帯から形成することができ、着用者の顔に快適に装置を装着できる形状にすることができる。特に、クリップ部に沿って配置される屈曲部を有する着用者の鼻橋上に延在して、図１２に示す鼻および頬の領域にマスクを滑り嵌めする補助をする翼部を提供するよう構成される非直線ノーズクリップが好ましい。ノーズクリップは、例えば感圧接着剤や液体ホットメルト接着剤などの接着剤によって呼吸器保護装置に固定することができる。あるいは、ノーズクリップは、呼吸器保護装置の本体に入れても良いし、装置本体と機械的または接着剤でそれに取り付けられる布またはフォームの間に維持しても良い。図６または図１２に示すような本発明の実施形態では、ノーズクリップは、第１の部材の外部に配置され、フォーム片（図示せず）は、ノーズクリップと位置を合わせて呼吸器保護装置の第１の部材の内部に配置される。
【００３２】
呼吸器保護装置は、一般には、使用者が容易に空気を呼気できるようにするダイヤフラム弁である任意の呼気弁を含んでも良い。マスクを用いた呼気時に極めて低い圧力低下を有する呼気弁は、米国特許第５，３２５，８９２号（Ｊａｐｕｎｔｉｃｈ  ｅｔ  ａｌ．）に記載されており、本明細書に参考として組み込む。その他の設計の多くの呼気弁は、当業者らに知られている。呼気弁は、好ましくは中心部に、また好ましくは中心部の真ん中付近に、音波溶接、接着結合、機械的締付などによって固定することができる。
【００３３】
呼吸器保護装置は、呼吸器保護装置の上エッジまたは外部にフェースシールドを任意に取り付けることもできる。一般的なフェースシールドは、例えば、米国特許第２，７６２，３６８号（Ｂｌｏｏｍｆｉｅｌｄ）および米国特許第４，９４４，２９４号（Ｂｏｒｅｋ，Ｊｒ．）などに開示されており、これらは本明細書に参考として組み込む。米国特許第５，０２０，５３３号（Ｈｕｂｂａｒｄ  ｅｔ  ａｌ．）に開示され、図１４に示されるタイプのフェースシールドも有用であり、シールドの中心に近接する切り欠き７３を有し、呼吸器保護装置７１およびフェースシールド７２を、着用者の顔に、グレアを低減させるように装置７１の頂部に取り付けた薄暗い色のストリップ７４を用いて容易に適合させることができる。
【００３４】
さらに、装置と顔の間の空気漏れを最低限にするフェースシールを、本発明の呼吸器保護装置に任意に使用することもできる。一般的なフェースシールは、米国特許第４，６００，００２号（Ｍａｒｙｙｎｅｋ  ｅｔ  ａｌ．）、米国特許第４，６８８，５６６号（Ｂｏｙｃｅ）および米国特許第４，８２７，９２４号などに記載されており、呼吸器保護装置７５上に図１５に示すような軟質弾性材料７６を含む環が記載され、それぞれ参考として本明細書に組み込む。カナダ特許第１，２９６，４８７号（Ｙａｒｄ）も同様に参考として組み込む。
【００３５】
また、例えば、液体の跳ねかけから首の部分を保護するネックカバーも、本発明の呼吸器保護装置に使用することができる。一般的なネックカバーは、例えば、米国特許第４，８２５，８７８号（Ｋｕｎｔｚ  ｅｔ  ａｌ．）、米国特許第５，３２２，０６１号（Ｂｒｕｎｓｏｎ）、および米国意匠特許第３４７，０９０（Ｂｒｕｎｓｎ）などに開示されており、本明細書に参考として組み込む。図１６は、呼吸器保護装置７７上の一般的なネックカバー７８を示す図である。
【００３６】
本発明の呼吸器保護装置は、ガンマ放射線、エチレン酸化物またはオートクレーブなどの標準的な方法で滅菌することができるが、こうした工程は装置に提供される電荷に影響を与える恐れがある。本発明のフラットフォールド型の呼吸器保護装置は、周長を規定する少なくとも第１及び第２のエッジを含む複数のエッジを有する平坦な中心部を形成し、平坦な第１の部材を折り目、接着部またはシームにより中心部の第１のエッジで中心部に取付けることによって製造することができる。第１の部材は、周長を規定する複数のエッジを有し、そのうちの折り目、接着部またはシームエッジが、中心部の第１のエッジと実質的に同一の拡がりを有する（すなわち実質的同一位置にある）。また、平坦な第２の部材は、折り目、接着部またはシームエッジにより、中心部の第２のエッジで中心部に取り付けられる。第２の部材は、周長を規定する複数のエッジを有し、そのうちの折り目、接着部またはシームエッジが、中心部の第２のエッジと実質的に同一の拡がりを有する（すなわち実質的同一位置にある）。中心部、第１の部材、および第２の部材の少なくとも１つは、フィルター媒体を含む。
【００３７】
図１〜図６に示すフラットフォールド型の呼吸器保護装置は、濾過媒体の矩形シートを形成し、第１の長手方向エッジをシートの中心に向けて折り畳んで第１の部材を形成し、第２の長手方向エッジをシートの中心に向けて折り畳んで第２の部材を形成し、折り畳まれないエッジをシールすることによって製造することができる。この工程は、任意に、別の折り目または接着部を介して折り畳まれないエッジで第１および第２の部材に取り付けられる付加的な部材を含んでいても良い。
【００３８】
図７〜図１２に示す呼吸器保護装置は、２つのエッジを有するフィルター媒体の第１の楕円シートを形成し、２つのエッジを有するフィルター媒体の第２の楕円シートであって、各々の少なくとも１面に共通の形状を有する第２のシートを形成し、共通の形状のエッジを接着し、第２のシートの接着されていないエッジを接着されるエッジ方向に折り畳み、２つのエッジを有するフィルター媒体の第３の楕円シートであって、少なくとも１つのエッジが第１の接着されていないエッジと共通のエッジを有する第３のシートを形成し、第２のシート上に第３のシートを配置し、第１および第３のシートの共通の形状のエッジを接着することによって製造することができる。
【００３９】
各工程は、高速製造方法に適合することができ、ヘッドバンド、ノーズクリップ、およびその他の一般的な呼吸器保護装置構成要素を取り付けるために必要とされるような付加的な工程を含む。
【００４０】
図１７〜図２０は、図７〜図１２に示されるようなフラットフォールド型の呼吸器保護装置を製造するための好ましい高速生産工程１２０を概略的に示す図である。フォーム部１２２は、好ましくは、内側被覆ウェブ１２４とフィルター媒体１２６の間に配置される。代替的な実施形態では、任意のフォーム部１２２および／またはノーズクリップ３０は、内側被覆ウェブまたは外側被覆ウェブ１３２の外面に配置することができる。強化材料１２８は、フィルター媒体１２６上の中心に近接する位置に任意に配置される。ノーズクリップ１３０は、ノーズクリップ装着ステーション１３０ａで強化材料１２８に近接するフィルター媒体１２６の１つのエッジに沿って任意に配置される。フィルター媒体１２６、任意の強化材料１２８および任意のノーズクリップ１３０は、外側被覆ウェブ１３２によって被覆され、図１８に示されるウェブ組体１３４を形成する。ウェブ組体１３４は、表面張力、静電気力、熱接着手段、接着剤またはその他の適切な周知の手段によって一緒に保持することができる。
【００４１】
呼気弁１３６は、バルブ付けステーション１３６ａでウェブ組体１３４に任意に挿入される。バルブ付けステーション１３６ａは、好ましくはウェブ組体１３４の中心に近接する孔を形成する。孔のエッジをシールすれば、余分なウェブ材料を最低限に抑えることができる。弁１３６は、溶接、接着、圧力嵌め、圧締め、スナップ組体またはある種のその他の適切な手段によって孔に維持することができる。呼気弁を有する例示的な呼吸器保護装置を図１１および図１２に示す。
【００４２】
図１９に示すように、ウェブアセンブリ１３４をフェース装着部で顔面装着溶接線およびエッジ仕上げ線に沿って溶接しトリムすることができる。余分なウェブ材料１４０は、除去されて、トリムされるウェブ組体１４２は折り畳みステーション１４４に送られる。折り畳みステーション１４４は、第１および第２の部材１４６および１４８をトリムされるウェブ組体１４２の中心方向内側に、折り畳み線１５０、１５２に沿ってそれぞれ折り畳み、図２０に示される折り畳まれる装置ブランク１５５を形成する。
【００４３】
折り畳まれる装置ブランク１５５は、エッジ１５８、１６０に沿って仕上げおよびヘッドバンド取付ステーション１５４ａで溶接され、呼吸器保護装置１５６のストリップを形成し、接着線からはみ出る余分な材料をそれから除去する。溶接線１６０は、顔面装着溶接およびエッジ仕上げ線１３３に隣接する。顔面装着溶接およびエッジ仕上げライン１３５は、第１の部材１４６の下に位置する破線で示してある。ヘッドバンド１６１を形成するヘッドバンド材料１５４は、左右のヘッドバンド取付位置１６２、１６４の間に延在するヘッドバンド経路「Ｈ」に沿って延在する折り畳み装置ブランクに配置される。ヘッドバンド１６１は、好ましくは左右のヘッドバンド取付位置１６２、１６４で装置ブランク１５５に取り付けられる。
【００４４】
ヘッドバンドが、１９９０年３月３０日に出願されて許可された米国特許出願第０７／５０３，７１６号に開示される好ましい材料から成る場合、呼吸器保護装置ブランク１５５に装着前、装着中または装着後にヘッドバンド材料１５４を活性化または部分的に活性化できることは理解されよう。ある好ましい方法では、調節クランプ間でまだ活性化されていないヘッドバンド材料を選択的に締め付けて、所望の大きさにヘッドバンドを延ばして、活性化ヘッドバンド材料１５４を装置ブランク１５５上に配置し、ヘッドバンド材料１５４の不活性の端部に装置ブランク１５５を取り付けることによって、取り付ける直前にヘッドバンドを活性化する。あるいは、活性化されていないヘッドバンド材料１５４を装置ブランク１５５上に配置し、本文で説明したように端部で取付けてから包装する前に活性化することができる。最後に、ヘッドバンド材料１５４は、使用者によって活性化されるまでは活性化されずに維持することができる。
【００４５】
長手方向の切り込み線「Ｓ」は、ヘッドバンド材料１５４を装置ブランク１５５に仕上げおよびヘッドバンド取付ステーション１５４ａで取り付ける前、取付中または取付後に形成し、複数部分のヘッドバンドを製造することができる。左右のヘッドバンド取付位置１６２、１６４に隣接する装置ブランク１５５のエッジ１６６、１６８は、個別の呼吸器保護装置を形成するのに役立てたり、呼吸器保護装置１６７のストリップを形成するために孔をあけたりすることができる（図２１参照）。仕上げられる呼吸器保護装置１６７は、包装ステーション１６９で包装される。
【００４６】
図２１は、図１７〜図２０の工程に従って製造されるフラットフォールド呼吸器保護装置１６７のストリップを示す図である。エッジ１６６、１６８は、呼吸器保護装置１６７がロール状に包装できるように孔あけされる。エッジ１６６、１６８のヘッドバンドの一部は、孔あけ工程によって除去されている。別の実施形態では、ヘッドバンド１６１は、エッジ１６６、１６８を継続的に通過して延在する。図２０は、呼吸器保護装置１６７の背部に取り付けられる複数部分に分かれたヘッドバンド１６１を示すが、本文に開示されるいずれかの構成で取り付けることができる。一個のヘッドバンドまたは複数の部分に分けられるヘッドバンド１６１は、呼吸器保護装置１６７のどちらかの面に、剥離構成または剪断構成で取り付けることができるが、剪断構成が好ましい。
【００４７】
その他のタイプのヘッドバンド材料を使用する場合には、ヘッドバンド材料を最終仕上げされるフラットフォールド呼吸器保護装置に使用される長さを採用し、左右のヘッドバンド取付位置１６２、１６４で取り付ける。
【００４８】
以下の実施例は、本発明をさらに具体的に示すものであるが、以下の実施例の特定の材料、形状およびそのサイズは、そのほかの条件および詳細は、本発明を不当に制限するものとして解釈してはならない。
【実施例】
【００４９】
以下、本発明に係る個人用の呼吸器保護装置を、以下に記載する制限的な実施例によってさらに説明する。
実施例１
帯電メルトブローポリプロピレン微細繊維を含む２枚のシート（３５０ｍｍ×３００ｍｍ）の一方を他方に重ねて、１００ｇ／ｍ２の基本重量、７μｍ〜８μｍの効果的な繊維直径、および約１ｍｍの厚さを有する層化ウェブを形成した。軽量スパンボンドポリプロピレンウェブ（３５０ｍｍ×３００ｍｍ、５０ｇ／ｍ２、タイプ１０５ＯＢ１ＵＯ０、Ｄｏｎ  ａｎｄ  Ｌｏｗ  Ｎｏｎｗｏｖｅｎｓ，Ｆｏｒｒａｒ，Ｓｃｏｔｌａｎｄ、Ｕｎｉｔｅｄ  Ｋｉｎｇｄｏｍから入手可能）を微細繊維層化ウェブの１面に接触させて配置した。ポリプロピレン支持メッシュ（３８０ｍｍ×７８ｍｍ、１４５ｇ／ｍ２、タイプ５１７３、Ｉｎｅｒｍａｓ，Ｂａｒｃｅｌｏｎａ，Ｓｐａｉｎから入手可能）のストリップを、層化微細繊維ウェブの一方の長いエッジから約１０８ｍｍ離隔し、層化微細繊維ウェブの他方の長いエッジから１１４ｍｍ離隔し、微細繊維表面のエッジに上に延在する残りの微細繊維面上に幅方向に配置した。内側被覆シート（３５０ｍｍ×３００ｍｍ、２３ｇ／ｍ２、ＬＵＲＴＡＳＩＬ（商標）６１２３、Ｓｐｕｎ  Ｗｅｂ，ＵＫ，Ｄｅｒｂｙ，Ｅｎｇｌａｎｄ，Ｕｎｉｔｅｄ  Ｋｉｎｇｄｏｍ）を支持メッシュおよび残りの露出した微細繊維ウェブの上に配置した。次に、５層構造を、層化構造をほぼ矩形形状に超音波で接着し、上部エッジ、底部エッジおよび２つの側方エッジを形成する周長で一緒に層化される構造を維持する接着部を提供した。層を支持メッシュの長いエッジに沿って一緒に接着もした。このようにして接着された構造の長さは、上部エッジおよび底部エッジに平行に測定したところ、１８８ｍｍであり、幅は、側方エッジに平行に測定したところ２０３ｍｍであった。支持メッシュのストリップのエッジは、層化構造の上部エッジから６０ｍｍ離隔し、かつ、その構造の底部エッジから６５ｍｍ離隔して位置した。接着部周辺をはみ出た余分な材料を除去し、側方エッジで接着線をはみ出た部分すなわち支持メッシュの中心線に近接する部分で、５０ｍｍの長さ×２０ｍｍの幅を有する部分はそのままにして、ヘッドバンド取付手段を形成した。
【００５０】
層化構造の上部エッジは、支持メッシュの最も近いエッジに近接する長さ方向に折り畳んで、内側カバーが、上部折り目から３９ｍｍの距離でそれ自体に接触して第１の部材を形成し、残りの２１ｍｍの層化構造が付加的な部分を形成するように上部折り目を形成した。層化構造の下部エッジを支持メッシュの最も近いエッジに近接する長さ方向に折り畳んで、内側カバーがそれ自体に対して３９ｍｍの距離だけ離隔して接触して第２の部材を形成し、残りの２６ｍｍが付加的な部分を形成するように、下部折り目を形成した。次に、付加的な部分の内側被覆層は相互に接触させた。上部および下部の折り目の間に位置する接触部、第１の部材、第２の部材をその側方エッジでシールした。
【００５１】
約５ｍｍの幅×１４０ｍｍの長さの可鍛ノーズクリップを第１の部材に取り付けられる付加的な部分の外面に取付けて、約１５ｍｍの幅×１４０ｍｍの長さのノーズフォームのストリップをノーズクリップに実質的に位置合わせした付加的な部分の内面に取り付けた。付加的部分を、各外側カバーが第１および第２の部材の外側カバーに接触するように折り畳んだ。
【００５２】
ヘッドハンド取付手段を形成させた層化構造の自由端を層化構造の接着エッジに折り畳んで、接着し、ループを形成した。ヘッドバンド弾性材料をループを介してねじ込み、上述のように形成された呼吸器保護装置を着用者の顔に固定する手段を提供した。
【００５３】
実施例２
第１および第２の層化シート構造（３５０ｍｍ×３００ｍｍ）を実施例１と同様に製造したが、支持メッシュを省略した点では異なっていた。曲線接着部を各シートの長いエッジに沿って形成し、接着部の凸部をはみ出た余剰材料を除去した。第３の層化シート構成は、実施例１と同様に製造したが、５層各々が実質的に同一の拡がりを有する点では異なっていた。第１の層化シート構造を内側カバーと接触させながら第３のシート構造の上に配置した。第１および第３のシート構造を、第１のシート構造の接着されていない長いエッジ付近の曲線接着部を用いて、１６５ｍｍの幅および３２ｍｍの深さを有する第１の楕円状呼吸器保護装置部材を形成した。曲線接着部の各半径は１４５ｍｍだった。
【００５４】
第３のエッジに接着されていない第１のシートのエッジを、第３のシートに接着される第１のシートのエッジ方向に折り返した。第２のシート構造を折り畳まれる第１のシート構造の上に配置し、第３のシートを部分的に被覆した。第２および第３のシート構造を、曲線接着部を使用して一緒に接着し、１６５ｍｍの幅および３２ｍｍの深さを有する第２のシートから第２の呼吸器保護装置部材と、第３のシート構造から１６５ｍｍの幅および６４ｍｍの高さを有する楕円形の中心の呼吸器保護装置部分を形成した。楕円部分の外側の材料を除去した。第１および第２の部材は、中心部から折り曲げた。
【００５５】
可鍛アルミニウムノーズクリップを第１の部材の周囲の外面に取付けて、ノーズフォームのストリップをノーズクリップと実質的に位置あわせして内面に取り付けた。ヘッドバンド取付手段を、中心部と第１および第２の部材の間の接着部が合う点で取付け、ヘッドバンド弾性材料を取付手段を介してねじ込んで着用者が容易に装着できる呼吸器保護装置を形成した。
【００５６】
本発明の各種の修正および変更は、本発明の範囲を逸脱せずに成され得ることは当業者らには明らかであり、本発明は、明細書に具体的に説明した実施例に限定されるべきではない。
【図面の簡単な説明】
【００５７】
【図１】フラットフォールド型の本発明の呼吸器保護装置を示す正面図である。
【図２】図１に示す呼吸器保護装置の線２−２に沿った断面図である。
【図３】開放してすぐに使用できる状態で図１の呼吸器保護装置を示す正面図である。
【図４】開放してすぐに使用できる状態で図１の呼吸器保護装置を示す側面図である。
【図５】フラットフォールド型の本発明の呼吸器保護装置の別の実施形態を示す断面図である。
【図６】部分的に開放して示される図５の呼吸器保護装置の斜視図である。
【図７】フラットフォールド型の本発明の呼吸器保護装置の別の実施形態を示す斜視図である。
【図８】開放してすぐに使用できる状態で図７の呼吸器保護装置を示す正面図である。
【図９】本発明の呼吸器保護装置の他の実施形態を示す正面図である。
【図１０】本発明の呼吸器保護装置の他の実施形態を示す正面図である。
【図１１】本発明の呼吸器保護装置の他の実施形態を示す正面図である。
【図１２】本発明の呼吸器保護装置の他の実施形態を示す正面図である。
【図１３ａ】本発明の代替実施形態を示す正面図である。
【図１３ｂ】本発明の代替実施形態を示す正面図である。
【図１３ｃ】本発明の代替実施形態を示す正面図である。
【図１３ｄ】本発明の代替実施形態を示す正面図である。
【図１３ｅ】本発明の代替実施形態を示す正面図である。
【図１３ｆ】本発明の代替実施形態を示す正面図である。
【図１３ｇ】本発明の代替実施形態を示す正面図である。
【図１３ｈ】本発明の代替実施形態を示す正面図である。
【図１３ｉ】本発明の代替実施形態を示す正面図である。
【図１３ｊ】本発明の代替実施形態を示す正面図である。
【図１３ｋ】本発明の代替実施形態を示す正面図である。
【図１３ｌ】本発明の代替実施形態を示す正面図である。
【図１３ｍ】本発明の代替実施形態を示す正面図である。
【図１３ｎ】本発明の代替実施形態を示す正面図である。
【図１３ｏ】本発明の代替実施形態を示す正面図である。
【図１３ｐ】本発明の代替実施形態を示す正面図である。
【図１４】本発明の呼吸器保護装置の他の実施形態を示す正面図である。
【図１５】本発明の呼吸器保護装置の他の実施形態を示す背面図である。
【図１６】本発明の呼吸器保護装置の他の実施形態を示す正面図である。
【図１７】フラットフォールド型の呼吸器保護装置を製造するための例示的な製造工程を示す概略図である。
【図１８】図１７に示す例示的な製造工程の中間ウェブ構成を示す図である。
【図１９】図１７に示す例示的な製造工程の中間ウェブ構成を示す図である。
【図２０】図１７に示す例示的な製造工程の中間ウェブ構成を示す図である。
【図２１】図１７〜図２０の工程に従って構成されるフェースマスクのストリップを示す図である。
【符号の説明】
【００５８】
１０、５０    呼吸器保護装置
１１    エッジシール
１２、５２    中心部
１４、５４    第１の部材
１５、５５    折り目（接着部）
１６、５６    第２の部材
１７、５７    折り目（接着部）
１８、５８    取付手段
【図１】
2008114091.tif 000003
【図２】
2008114091.tif 000004
【図３】
2008114091.tif 000005
【図４】
2008114091.tif 000006
【図５】
2008114091.tif 000007
【図６】
2008114091.tif 000008
【図７】
2008114091.tif 000009
【図８】
2008114091.tif 000010
【図９】
2008114091.tif 000011
【図１０】
2008114091.tif 000012
【図１１】
2008114091.tif 000013
【図１２】
2008114091.tif 000014
【図１３ａ】
2008114091.tif 000015
【図１３ｂ】
2008114091.tif 000016
【図１３ｃ】
2008114091.tif 000017
【図１３ｄ】
2008114091.tif 000018
【図１３ｅ】
2008114091.tif 000019
【図１３ｆ】
2008114091.tif 000020
【図１３ｇ】
2008114091.tif 000021
【図１３ｈ】
2008114091.tif 000022
【図１３ｉ】
2008114091.tif 000023
【図１３ｊ】
2008114091.tif 000024
【図１３ｋ】
2008114091.tif 000025
【図１３ｌ】
2008114091.tif 000026
【図１３ｍ】
2008114091.tif 000027
【図１３ｎ】
2008114091.tif 000028
【図１３ｏ】
2008114091.tif 000029
【図１３ｐ】
2008114091.tif 000030
【図１４】
2008114091.tif 000031
【図１５】
2008114091.tif 000032
【図１６】
2008114091.tif 000033
【図１７】
2008114091.tif 000034
【図１８】
2008114091.tif 000035
【図１９】
2008114091.tif 000036
【図２０】
2008114091.tif 000037
【図２１】
2008114091.tif 000038